(57)【要約】  複数の経糸（２０）は、コイルエレメント（２００）を緯糸（１０）に対して締め付けるべく、第１テープ面（１０１）側でＮ個の第２脚部（２１２）を跨ぐことと、第２テープ面（１０２）側で緯糸（１０）を跨ぐことを繰り返す合計Ｎ本の隣接した締糸（３０）を含む。Ｎが２以上の自然数を示す。各締糸（３０）は、緯糸（１０）を跨ぎ第２テープ面（１０２）側に露出する露出部（３０ｋ）を含む。各締糸（３０）の露出部（３０ｋ）は、Ｎ本の隣接した締糸（３０）が延びるに応じて一つずつ交互に、若しくは一つずつ順番に第２テープ面（１０２）側に現れる。
2017119104.tif 000002
【特許請求の範囲】
【請求項１】
１以上の緯糸（１０）と複数の経糸（２０）を含み、第１テープ面（１０１）及び第２テープ面（１０２）を有するファスナーテープ（１００）と、
前記ファスナーテープ（１００）の前記第１テープ面（１０１）側に現れるように前記ファスナーテープ（１００）に設けられ、複数の連続の単位構造（２１０）を含むコイルエレメント（２００）を備えるファスナーストリンガーであって、
各単位構造（２１０）は、
前記緯糸（１０）に沿って延びる第１脚部（２１１）、前記第１脚部（２１１）よりも前記緯糸（１０）から離間して配される第２脚部（２１２）、ファスナーテープ外方において前記第１脚部（２１１）と前記第２脚部（２１２）を結合する噛合頭部（２１３）、及びファスナーテープ内方において前記第１脚部（２１１）を隣接の単位構造（２１０）の第２脚部（２１２）に結合する反転部（２１４）を含み、
前記複数の経糸（２０）は、前記コイルエレメント（２００）を前記緯糸（１０）に対して締め付けるべく、前記第１テープ面（１０１）側でＮ個の前記第２脚部（２１２）を跨ぐことと、前記第２テープ面（１０２）側で前記緯糸（１０）を跨ぐことを繰り返す合計Ｎ本の隣接した締糸（３０）を含み、前記Ｎが２以上の自然数を示し、
各締糸（３０）は、前記ファスナーテープ（１００）の長さ方向で隣接する前記第１脚部（２１１）の間で前記緯糸（１０）を跨ぎ前記第２テープ面（１０２）側に露出する露出部（３０ｋ）を含み、
各締糸（３０）の露出部（３０ｋ）は、前記合計Ｎ本の隣接した締糸（３０）が延びるに応じて一つずつ交互に、若しくは一つずつ順番に第２テープ面（１０２）側に現れる、ファスナーストリンガー。
【請求項２】
前記合計Ｎ本の隣接した締糸（３０）を第１締糸群（Ｇ３１）とする請求項１に記載のファスナーストリンガーであって、
前記複数の経糸（２０）は、前記コイルエレメント（２００）を前記緯糸（１０）に対して締め付けるべく、前記第１テープ面（１０１）側でＭ個の前記第２脚部（２１２）を跨ぐことと、前記第２テープ面（１０２）側で前記緯糸（１０）を跨ぐことを繰り返す合計Ｍ本の隣接した締糸（３０）から成る第２締糸群（Ｇ３２）を含み、前記Ｍは、２以上の自然数を示し、
前記ファスナーテープ（１００）は、前記第１締糸群（Ｇ３１）と前記第２締糸群（Ｇ３２）の間に設けられたテープ組織（１１２）を含む、請求項１に記載のファスナーストリンガー。
【請求項３】
前記複数の経糸（２０）は、前記コイルエレメント（２００）を前記緯糸（１０）に対して締め付けるべく、前記第１テープ面（１０１）側でＲ個の前記第２脚部（２１２）を跨ぐことと、前記第２テープ面（１０２）側で前記緯糸（１０）を跨ぐことを繰り返す合計Ｒ本の隣接した締糸（３０）から成る第３締糸群（Ｇ３３）を含み、前記Ｒは、２以上の自然数を示し、
前記ファスナーテープ（１００）は、前記第２締糸群（Ｇ３２）と前記第３締糸群（Ｇ３３）の間に設けられたテープ組織（１１３）を含む、請求項２に記載のファスナーストリンガー。
【請求項４】
前記テープ組織（１１２、１１３）は、平織り組織を含む、請求項２又は３に記載のファスナーストリンガー。
【請求項５】
前記Ｎと前記Ｍと前記Ｒは、同一の数を示す、請求項３に記載のファスナーストリンガー。
【請求項６】
請求項１乃至５のいずれか一項に記載の一対のファスナーストリンガー（３００）と、
前記一対のファスナーストリンガー（３００）を開閉するための少なくとも一つのスライダー（４００）を含み、
前記スライダー（４００）の上翼板（４１０）の引手取付柱（４４０）に取り付けられた引手（４５０）が、前記ファスナーテープ（１００）の前記第２テープ面（１０２）側に配される、スライドファスナー。
【発明の詳細な説明】
【技術分野】
【０００１】
本開示は、ファスナーストリンガー及びスライドファスナーに関する。
【背景技術】
【０００２】
特許文献１には経糸の中にコイルエレメントを緯糸に押さえ付けるための押さえ経糸が含まれる種類のファスナーストリンガーの一例が開示されている。同文献１の図１は、合計４本の隣接した締糸１９〜２２を開示する。締糸１９〜２２は、上脚部３１の上面と下脚部３２の下面を交互に横切るように延びる。同文献の図４は、合計４本の隣接した締糸を開示する。合計４本の締糸について、噛合頭部３３側の２本の締糸は、図１に関して説明したものと同じく、上脚部３１の上面と下脚部３２の下面を交互に横切るように延びる。残りの２本の締糸は、図示のように噛合頭部３３側の２本の締糸とは異なる態様で延びる。
【先行技術文献】
【特許文献】
【０００３】
【特許文献１】実公昭６２−４１６０９号公報
【発明の概要】
【発明が解決しようとする課題】
【０００４】
経糸に含まれる締糸によりコイルエレメントが緯糸に対して締め付けられるファスナーストリンガーにおいて、更なる横引き強度の向上が望まれる。狭ピッチでコイルエレメントの噛合頭部を配置すると、ファスナーストリンガー長手方向に隣接するエレメント脚部の間の隙間に配される緯糸が、経糸に含まれる締糸によってコイルエレメントが設けられたファスナーテープのテープ面側に相対的に急に又は大きく連行され、結果としてコイルエレメントが設けられていないファスナーテープのテープ面に無視し難い凹部が形成されてしまうおそれがある。コイルエレメント間の緯糸に複数の締糸が絡む場合にはより大きな凹部が形成されてしまうおそれがある。本願発明者は、噛合頭部の狭ピッチ配置を実現しながらも、コイルエレメントが設けられたファスナーテープのテープ面の反対側のテープ面における凹部の形成を回避又は抑制するという新たな課題を見出した。
【課題を解決するための手段】
【０００５】
本開示の一側面に係るファスナーストリンガー（３００）は、１以上の緯糸（１０）と複数の経糸（２０）を含み、第１テープ面（１０１）及び第２テープ面（１０２）を有するファスナーテープ（１００）と、
前記ファスナーテープ（１００）の前記第１テープ面（１０１）側に現れるように前記ファスナーテープ（１００）に設けられ、複数の連続の単位構造（２１０）を含むコイルエレメント（２００）を備えるファスナーストリンガーであって、
各単位構造（２１０）は、
前記緯糸（１０）に沿って延びる第１脚部（２１１）、前記第１脚部（２１１）よりも前記緯糸（１０）から離間して配される第２脚部（２１２）、ファスナーテープ外方において前記第１脚部（２１１）と前記第２脚部（２１２）を結合する噛合頭部（２１３）、及びファスナーテープ内方において前記第１脚部（２１１）を隣接の単位構造（２１０）の第２脚部（２１２）に結合する反転部（２１４）を含み、
前記複数の経糸（２０）は、前記コイルエレメント（２００）を前記緯糸（１０）に対して締め付けるべく、前記第１テープ面（１０１）側でＮ個の前記第２脚部（２１２）を跨ぐことと、前記第２テープ面（１０２）側で前記緯糸（１０）を跨ぐことを繰り返す合計Ｎ本の隣接した締糸（３０）を含み、前記Ｎが２以上の自然数を示し、
各締糸（３０）は、前記ファスナーテープ（１００）の長さ方向で隣接する前記第１脚部（２１１）の間で前記緯糸（１０）を跨ぎ前記第２テープ面（１０２）側に露出する露出部（３０ｋ）を含み、
各締糸（３０）の露出部（３０ｋ）は、前記合計Ｎ本の隣接した締糸（３０）が延びるに応じて一つずつ交互に、若しくは一つずつ順番に第２テープ面（１０２）側に現れる。【０００６】
幾つかの実施形態においては、前記合計Ｎ本の隣接した締糸（３０）を第１締糸群（Ｇ３１）とし、前記複数の経糸（２０）は、前記コイルエレメント（２００）を前記緯糸（１０）に対して締め付けるべく、前記第１テープ面（１０１）側でＭ個の前記第２脚部（２１２）を跨ぐことと、前記第２テープ面（１０２）側で前記緯糸（１０）を跨ぐことを繰り返す合計Ｍ本の隣接した締糸（３０）から成る第２締糸群（Ｇ３２）を含み、前記Ｍは、２以上の自然数を示し、
前記ファスナーテープ（１００）は、前記第１締糸群（Ｇ３１）と前記第２締糸群（Ｇ３２）の間に設けられたテープ組織（１１２）を含む。【０００７】
幾つかの実施形態においては、前記複数の経糸（２０）は、前記コイルエレメント（２００）を前記緯糸（１０）に対して締め付けるべく、前記第１テープ面（１０１）側でＲ個の前記第２脚部（２１２）を跨ぐことと、前記第２テープ面（１０２）側で前記緯糸（１０）を跨ぐことを繰り返す合計Ｒ本の隣接した締糸（３０）から成る第３締糸群（Ｇ３３）を含み、前記Ｒは、２以上の自然数を示し、
前記ファスナーテープ（１００）は、前記第２締糸群（Ｇ３２）と前記第３締糸群（Ｇ３３）の間に設けられたテープ組織（１１３）を含む。【０００８】
幾つかの場合、前記テープ組織（１１２、１１３）は、平織り組織を含む。【０００９】
幾つかの場合、前記Ｎと前記Ｍと前記Ｒは、同一の数を示す。【００１０】
本開示の別形態に係るスライドファスナーは、上記の一対のファスナーストリンガー（３００）と、
前記一対のファスナーストリンガー（３００）を開閉するための少なくとも一つのスライダー（４００）を含み、
前記スライダー（４００）の上翼板（４１０）の引手取付柱（４４０）に取り付けられた引手（４５０）が、前記ファスナーテープ（１００）の前記第２テープ面（１０２）側に配される。
【発明の効果】
【００１１】
本開示の一側面によれば、噛合頭部の狭ピッチ配置を実現しながらも、コイルエレメントが設けられたファスナーテープのテープ面の反対側のテープ面における凹部の形成を回避又は抑制することができる。
【図面の簡単な説明】
【００１２】
【図１】本開示の実施形態例に係るスライドファスナーの概略的な正面模式図である。
【図２】本開示の実施形態例に係るファスナーストリンガーの概略的な部分拡大模式図であり、ファスナーテープの第１テープ面側で、コイルエレメントが締糸により緯糸に対して締め付けられることを示す。
【図３】本開示の実施形態例に係るファスナーストリンガーの概略的な部分拡大模式図であり、隣接するエレメント脚部の間の緯糸を締糸が跨いでファスナーテープの第２テープ面側で露出することを示す。
【図４】本開示の実施形態例に係るファスナーストリンガーにおいてファスナーテープに含まれる２つの隣接する締糸が一つずつ交互に第２テープ面側に露出することを示す概略模式図である。
【図５】本開示の実施形態例に係るファスナーストリンガーにおいてファスナーテープの経糸に含まれる締糸によりエレメント脚部が緯糸に対して締め付けられることを示す概略模式図である。
【図６】本開示の別の実施形態例に係るファスナーストリンガーの概略的な部分拡大模式図であり、隣接するエレメント脚部の間の緯糸を締糸が跨いでファスナーテープの第２テープ面側で露出することを示す。
【図７】本開示の別の実施形態例に係るファスナーストリンガーにおいてファスナーテープに含まれる３つの隣接する締糸が一つずつ順番に第２テープ面側に露出することを示す概略模式図である。
【発明を実施するための形態】
【００１３】
以下、図１乃至図７を参照しつつ、本発明の非限定の例示の実施の形態について説明する。開示の１以上の実施形態及び実施形態に包含される各特徴は、個々に独立したものではない。当業者は、過剰説明を要せず、各実施形態及び／又は各特徴を組み合わせることができ、また、この組み合わせによる相乗効果も理解可能である。実施形態間の重複説明は、原則的に省略する。参照図面は、発明の記述を主たる目的とするものであり、作図の便宜のために簡略化されている場合がある。
【００１４】
図１に示すスライドファスナー６００は、左右一対のファスナーストリンガー３００と、左右一対のファスナーストリンガー３００を開閉するべく前進及び後進するスライダー４００を含む。スライダー４００の前進により左右一対のファスナーストリンガー３００が閉じられる。スライダー４００の後進により左右一対のファスナーストリンガー３００が開けられる。スライダー４００は、上翼板４１０、不図示の下翼板、上翼板４１０と下翼板を連結する連結柱、上翼板４１０上に設けられた引手取付柱４４０、及び引手取付柱４４０に通された引手４５０を含む。なお、幾つかの実施形態においては、図示例のスライダー４００以外の構造のスライダーが採用される。
【００１５】
前後方向は、上述のスライダー４００の動きから把握される。左右方向は、上述のスライダー４００により開閉される一対のファスナーストリンガー３００の横並び態様から把握される。左右方向は、前後方向に直交する。上下方向は、前後方向及び左右方向に直交する。
【００１６】
各ファスナーストリンガー３００は、ファスナーテープ１００とコイルエレメント２００を含む。ファスナーテープ１００は、１以上の緯糸１０と、複数の経糸２０を含む。ファスナーテープ１００は、緯糸１０と経糸２０が織られた織物である。ファスナーテープ１００は、第１テープ面１０１及び第１テープ面１０１の反対側の第２テープ面１０２を有する。
【００１７】
コイルエレメント２００は、ファスナーテープ１００の第１テープ面１０１側に現れるようにファスナーテープ１００に設けられる。コイルエレメント２００は、複数の連続の単位構造２１０を含む。単位構造２１０は、緯糸１０に沿って延びる第１脚部２１１、緯糸１０及び／又は第１脚部２１１に沿って延び、第１脚部２１１よりも緯糸１０から離間して配される第２脚部２１２、ファスナーテープ外方において第１脚部２１１と第２脚部２１２を結合する噛合頭部２１３、及びファスナーテープ内方において第１脚部２１１を隣接の単位構造２１０の第２脚部２１２に結合する反転部２１４を含む。噛合頭部２１３は、ファスナーテープ１００の長さ方向に沿って両方向に突出した突起を有し、左右の噛合頭部２１３同士の適切な噛合が確保される。ファスナーテープ１００の長さ方向は、前後方向に一致する。
【００１８】
ファスナーテープ内方は、ファスナーテープ１００が存在する平面においてファスナーテープ１００外の位置又は点から、ファスナーテープ１００上の位置又は点に向かう方向である。より端的には、ファスナーテープ内方は、ファスナーテープ１００外の位置又は点からファスナーテープ１００の対向側縁部を横切りファスナーテープ１００上の位置又は点に向かう方向である。ファスナーテープ外方は、ファスナーテープ１００が存在する平面においてファスナーテープ１００上の位置又は点から、ファスナーテープ１００外の位置又は点に向かう方向である。より端的には、ファスナーテープ外方は、ファスナーテープ１００上の位置又は点からファスナーテープ１００の対向側縁部を横切りファスナーテープ１００外の位置又は点に向かう方向である。
【００１９】
ファスナーテープ１００は、緯糸１０と経糸２０が織られた織物である。緯糸１０と経糸２０からファスナーテープ１００を構築するために織機が用いられる。織機は、ファスナーテープ１００の形成と並行してコイルエレメント２００も形成し、ファスナーテープ１００に対してコイルエレメント２００を組み込む。モノフィラメントがらせん状に巻かれて形成されるエレメント脚部が、経糸２０に含まれる締糸３０で緯糸１０に対して締め付けられる。
【００２０】
図２及び図３に示すように、緯糸１０が、ファスナーテープ１００の幅方向に延びる緯糸主部を含む。ファスナーテープ１００の幅方向は、ファスナーテープ１００の長さ方向に直交する。ファスナーテープ１００の幅方向は、左右方向に一致する。経糸２０が、ファスナーテープ１００の長さ方向に延びる。ファスナーテープ１００に含まれる１以上の緯糸１０は、図３に端的に示されるように、ファスナーテープ１００の第１テープ面１０１側において第１脚部２１１が少なくとも部分的に重ね合わされる緯糸主部の第１組１１を含む。ファスナーテープ１００に含まれる１以上の緯糸１０は、更に、ファスナーテープ１００の長さ方向において隣接する第１脚部２１１の間に設けられる緯糸主部の第２組１２を含む。緯糸主部の第１組１１と緯糸主部の第２組１２は、ファスナーテープ１００の長さ方向において交互に配置される。
【００２１】
幾つかの場合、一本の緯糸１０がファスナーテープ１００の幅方向にて往復して緯糸主部同士が隣り合うことで緯糸主部の第１組１１が構成される。同様に、一本の緯糸１０が往復することで緯糸主部の第２組１２が構成される。緯糸主部の第１組１１に含まれる一つの緯糸主部が緯糸主部の第２組１２に含まれる一つの緯糸主部に湾曲した緯糸反転部１３を介して連続する。第１組１１を構成する一対の緯糸主部と第２組１２を構成する一対の緯糸主部は同一の一本の緯糸１０に含まれる異なる部分である。すなわち、この場合、ファスナーテープ１００に含まれる緯糸１０は、共通の緯糸１０から形成される緯糸主部の第１組１１及び緯糸主部の第２組１２によって構成され、複数の経糸２０と共にファスナーテープ１００を織成する。
【００２２】
経糸２０は、ファスナーテープ１００の第１テープ面１０１側で緯糸主部の第２組１２を跨ぎ、ファスナーテープ１００の第２テープ面１０２側で緯糸主部の第１組１１を跨ぐ第１経糸を含む。第１経糸は、緯糸主部の第１組１１と緯糸主部の第２組１２の間の空間を通過して第１テープ面１０１側から第２テープ面１０２側に浮き出し、緯糸主部の第１組１１と緯糸主部の第２組１２の間の空間を通過して第２テープ面１０２側から第１テープ面１０１側に沈み込む。
【００２３】
経糸２０は、ファスナーテープ１００の第１テープ面１０１側で緯糸主部の第１組１１を跨ぎ、ファスナーテープ１００の第２テープ面１０２側で緯糸主部の第２組１２を跨ぐ第２経糸を含む。第２経糸は、緯糸主部の第１組１１と緯糸主部の第２組１２の間の空間を通過して第１テープ面１０１側から第２テープ面１０２側に浮き出し、緯糸主部の第１組１１と緯糸主部の第２組１２の間の空間を通過して第２テープ面１０２側から第１テープ面１０１側に沈み込む。経糸２０と緯糸１０によってファスナーテープ１００の平織りの組織が構築される。なお、ファスナーテープ１００は、平織り組織に代替して又は加えて、綾織り組織、朱子織り組織、又はこれ以外の組織を含むことができる。
【００２４】
経糸２０は、コイルエレメント２００を緯糸１０に対して締め付ける合計Ｎ本以上の隣接した締糸３０を含む。Ｎは、２以上の自然数を示す。図２及び図３に示す場合、Ｎ＝２である。合計Ｎ本の隣接した締糸３０それぞれは、コイルエレメント２００を緯糸１０に対して締め付けるべく延びる。合計Ｎ本の隣接した締糸３０それぞれは、第１テープ面１０１側でＮ個の第２脚部２１２を跨ぐことと、第２テープ面１０２側で緯糸１０、端的には一つの緯糸主部の第２組１２を跨ぐことを繰り返す。各締糸３０は、ファスナーテープ１００の長さ方向で隣接する第１脚部２１１の間で緯糸１０、端的には一つの緯糸主部の第２組１２を跨ぐ。図２においては、視認の容易さを確保するため、締糸３０には概略的なハッチングが施されている。図３に示す締糸３０の点線は、締糸３０が第１テープ面１０１側で第２脚部２１２を跨いでいることを示す。図４は、合計２本の隣接した締糸３０が第１テープ面１０１で２個の第２脚部２１２を跨ぎ、第２テープ面１０２側で一つの緯糸主部の第２組１２を跨ぐことを端的に示す。
【００２５】
各締糸３０は、図３に示すように、緯糸１０、端的には一つの緯糸主部の第２組１２を跨ぎ第２テープ面１０２側に露出する露出部３０ｋを有する。露出部３０ｋは、図４に示すように、ファスナーテープ１００の長さ方向で隣接する第１脚部２１１の間で締糸３０が緯糸１０、端的には一つの緯糸主部の第２組１２を跨ぐことで第２テープ面１０２側に現れる締糸３０の一部である。なお、図３においても、視認の容易さを確保するため、露出部３０ｋには概略的なハッチングが施されている。本開示の実施形態においては、各締糸３０の露出部３０ｋは、合計Ｎ本の隣接した締糸３０が延びるに応じて一つずつ交互に第２テープ面１０２側に現れる。締糸３０の露出部３０ｋにより緯糸主部の第２組１２が第１テープ面１０１側にやや引き込まれる。従って、合計Ｎ本の隣接した締糸３０が一緒に同一の緯糸主部の第２組１２を第１テープ面１０１側に引き込む場合、第２テープ面１０２側に凹部が形成されてしまうおそれがある。合計Ｎ本の隣接した締糸３０に含まれる締糸３０の数が多ければ多いほど、この凹部が顕在化してしまうことが見込まれる。凹部は意匠的に好ましくない場合がある他、テープ面への引っ掛かりを生じさせるおそれがある。
【００２６】
本実施形態例においては、上述の露出部３０ｋのパターンが第２テープ面１０２側に現れるように合計Ｎ本の隣接した締糸３０が構成される。従って、ファスナーテープ１００の長さ方向に噛合頭部２１３を高密度配置するとしても、Ｎ本の隣接した締糸３０が同一の緯糸１０、端的には緯糸主部の第２組１２を第１テープ面１０１側に引き込まず、凹部の顕在化が回避又は抑制される。更には、合計Ｎ本の隣接した締糸３０が呈する露出部３０ｋの規則的パターンは、ファスナーテープ１００の第２テープ面１０２側に規則的な模様として現れ、第２テープ面１０２側の凹部の顕在化の抑制若しくは平坦度の向上に留まらず、第２テープ面１０２側の意匠性も向上する。図１に示すように第２テープ面１０２が表側に現れるようにスライドファスナー６００が用いられる時、この点は、特に有利である。更に、このような締糸配置によれば、コイルエレメント２００のより高い横引き強度の確保も見込まれる。なお、Ｎが３以上の自然数を示す時、各締糸３０の露出部３０ｋは、Ｎ本の隣接した締糸３０が延びるに応じて一つずつ順番に第２テープ面１０２側に現れる。
【００２７】
図４に端的に示されるように、締糸３０は、単位構造２１０、特に第２脚部２１２をファスナーテープ１００の組織側に押さえ付ける押さえ糸として機能すると共に、ファスナーテープ１００の長さ方向で隣接する単位構造２１０の間を延びてファスナーテープ１００の長さ方向に沿う単位構造２１０の変位を規制する屈曲糸として機能する。このように、図示例では、締糸が押さえ糸及び屈曲糸を兼務するため、押さえ糸や屈曲糸が締糸とは別に設けられる形態と比較してテープ組織の簡素化が図られる。換言すれば、図示例では、有利にも締糸のみによりファスナーテープ１００でのコイルエレメント２００の固定が確保される。
【００２８】
合計２本の隣接した締糸３０を締糸群Ｇ３０と呼ぶ。図２及び図３並びに図５に示すように、コイルエレメント２００は、第１乃至第３締糸群Ｇ３１〜Ｇ３３により緯糸１０に対して締め付けられる。第１乃至第３締糸群Ｇ３１〜Ｇ３３は、各々、合計２本の締糸３０を含む。他の実施形態においては、第１乃至第３締糸群Ｇ３１〜Ｇ３３の各々に含まれる締糸３０の合計数が異なる。第１締糸群に合計Ｎ本の締糸が含まれ、第２締糸群に合計Ｍ本の締糸が含まれ、第３締糸群に合計Ｒ本の締糸が含まれるとする。幾つかの場合、Ｎ＝Ｍ＝Ｒを満足する。他の場合、Ｎ≠Ｍ≠Ｒを満足する。例えば、Ｎ＝３；第１締糸群Ｇ３１が合計３本の締糸３０を含む：Ｍ＝４；第２締糸群Ｇ３２が合計４本の締糸３０を含む：Ｒ＝５；第３締糸群Ｇ３３が合計５本の締糸３０を含む。
【００２９】
ファスナーテープ１００は、コイルエレメント２００が配置されるエレメント配置領域１１０と、エレメント配置領域１１０以外の残部のテープ主体部１２０を有する。第１乃至第３締糸群Ｇ３１〜Ｇ３３は、エレメント配置領域１１０に存在し、コイルエレメント２００のＮ個の第２脚部２１２を連続的に跨ぐ。第１締糸群Ｇ３１と第２締糸群Ｇ３２の間にはテープ組織１１２が設けられる。テープ組織１１２は、緯糸１０を跨いでファスナーテープ１００の第１テープ面１０１側あるいは第２テープ面１０２側に露出する複数の経糸２０、図示の場合、３本の経糸を含む。非限定の一例としては、テープ組織１１２は、平織り組織である。第１締糸群Ｇ３１のファスナーテープ外方にはテープ組織１１１が存在する。テープ組織１１１は、緯糸１０を跨いでファスナーテープ１００の第１テープ面１０１側あるいは第２テープ面１０２側に露出する複数の経糸２０、図示の場合、３本の経糸を含む。非限定の一例としては、テープ組織１１１は、平織り組織である。第２締糸群Ｇ３２と第３締糸群Ｇ３３の間にはテープ組織１１３が設けられる。テープ組織１１３は、緯糸１０を跨いでファスナーテープ１００の第１テープ面１０１側あるいは第２テープ面１０２側に露出する複数の経糸２０、図示の場合、３本の経糸を含む。非限定の一例としては、テープ組織１１３は、平織り組織である。第３締糸群Ｇ３３のファスナーテープ内方にはファスナーテープ１００のテープ主体部１２０、一例としては平織り組織が存在する。複数の締糸群Ｇ３０の間に存在するテープ組織、一例としては平織り組織が、第２テープ面１０２側の凹部の顕在化の回避又は抑制に貢献する。なお、別例においては、テープ組織１１１〜１１３に含まれる経糸の本数が異なる。
【００３０】
図３の例では、合計２本の隣接する締糸３０に関して、ファスナーテープ１００の長さ方向に露出部が交互に現れる。これは、テープ主体部１２０の１／１の平織り組織に類似する１／１の組織であり、エレメント配置領域１１０をテープ主体部１２０により類似させることができる。更には、複数の締糸群Ｇ３０の間に存在するテープ組織１１１〜１１３のおかげでエレメント配置領域１１０がテープ主体部１２０により類似する。
【００３１】
図２及び図３に示す締糸群Ｇ３０に含まれる合計２本の締糸３０を第１締糸３０ｐ及び第２締糸３０ｑと呼ぶ。第１締糸３０ｐ及び第２締糸３０ｑが、ファスナーテープ１００の長さ方向に沿って進行する態様が図４に模式的に描かれる。第１テープ面１０１側から第２テープ面１０２側に向かう時、第１締糸３０ｐは、第１テープ面１０１側においてコイルエレメント２００の単位構造２１０に含まれる第２脚部２１２及び／又は第１脚部２１１の横を通過し、緯糸主部の第１組１１と緯糸主部の第２組１２の間の隙間を通過する。続いて、第１締糸３０ｐは、ファスナーテープ１００の長さ方向で隣接する第１脚部２１１の間で第２テープ面１０２側にて緯糸主部の第２組１２上を跨ぐ。第２テープ面１０２側から第１テープ面１０１側に向かう時、第１締糸３０ｐは、緯糸主部の第２組１２と緯糸主部の第１組１１の間の隙間を通過し、上述した単位構造２１０に隣接する単位構造２１０の第１脚部２１１及び／又は第２脚部２１２の横を通過する。続いて、第１締糸３０ｐは、第１テープ面１０１側において２個の第２脚部２１２を連続的に跨ぐ。第１締糸３０ｐが第２テープ面１０２側において緯糸主部の第２組１２を跨ぐ箇所の第１テープ面１０１側には、ファスナーテープ１００の長さ方向に隣接する２つの第２脚部２１２の間を渡る第２締糸３０ｑが存在する。
【００３２】
第２締糸３０ｑも第１締糸３０ｐと同様にしてファスナーテープ１００の長さ方向に延びるに応じて第１テープ面１０１側と第２テープ面１０２側の間を往復及び振幅する。第２締糸３０ｑが第２テープ面１０２側において緯糸主部の第２組１２を跨ぐ箇所の第１テープ面１０１側には、ファスナーテープ１００の長さ方向に隣接する２つの第２脚部２１２の間を渡る第１締糸３０ｐが存在する。第１締糸３０ｐ及び第２締糸３０ｑがファスナーテープ１００の長さ方向に延びるに応じて、第１締糸３０ｐの露出部ｋが第２テープ面１０２側に現れ、次に第２締糸３０ｑの露出部ｋが第２テープ面１０２側に現れる。つまり、締糸３０の露出部ｋは、２本の隣接した締糸３０が延びるに応じて一つずつ交互に第２テープ面１０２側に現れる。
【００３３】
ファスナーテープ１００の長さ方向で隣接する第１脚部２１１の間及び第２脚部２１２の間には一つの緯糸主部の第２組１２が存在する。コイルエレメント２００の第２脚部２１２上を通過した締糸３０は、ファスナーテープ１００の長さ方向における相対的に短い距離で緯糸主部の第２組１２に絡むことが要求される。ファスナーテープ１００の長さ方向で隣接する第１脚部２１１の間及び第２脚部２１２の間に２以上の緯糸主部の第２組１２が存在する場合と比較して、本例の場合、緯糸主部の第２組１２が第１テープ面１０１側により強く引かれ、凹部が目立ちやすいことが想定される。本実施形態例においては、合計Ｎ本の隣接した締糸３０が同一の緯糸主部の第２組１２を第１テープ面１０１側に引き込まず、噛合頭部２１３の高密度配置に関わらず、凹部の顕在化が回避又は抑制される。
【００３４】
図６及び図７は、Ｎ＝３の実施形態例を示す。図６及び図７から理解されるように経糸２０に含まれる締糸群Ｇ３０は、第１締糸３０ｐ及び第２締糸３０ｑに加えて第３締糸３０ｒを含む。各締糸群Ｇ３０は、合計３本の隣接した締糸３０から構成される。第１乃至第３締糸３０ｐ〜３０ｒは、各々、第１テープ面１０１側で３個の第２脚部２１２を跨ぐことと、第２テープ面１０２側で一つの緯糸主部の第２組１２を跨ぐことを繰り返す。第１乃至第３締糸３０ｐ〜３０ｒがファスナーテープ１００の長さ方向に延びるに応じて、第１締糸３０ｐの露出部３０ｋが第２テープ面１０２側に現れ、次に第３締糸３０ｒの露出部３０ｋが第２テープ面１０２側に現れ、次に第２締糸３０ｑの露出部３０ｋが第２テープ面１０２側に現れる。つまり、締糸３０の露出部３０ｋは、合計Ｎ本の隣接した締糸３０が延びるに応じて一つずつ順番に第２テープ面１０２側に現れる。一つの締糸３０の露出部３０ｋが第２テープ面１０２側に現れる時、合計Ｎ本の隣接した締糸３０に含まれる他の締糸３０の露出部３０ｋが第２テープ面１０２側に現れない。合計Ｎ本中の１本の締糸３０が、緯糸１０、端的には一つの緯糸主部の第２組１２に絡む。このような場合においても上述と同様の効果を得ることができる。
【００３５】
ファスナーストリンガーの製法については当業者が難なく理解可能であり、冗長説明は省略する。特公昭５９−５１８１５号の開示が参照され、同文献の開示が参照により本明細書に組み込まれる。
【００３６】
上述の教示を踏まえると、当業者をすれば、各実施形態に対して様々な変更を加えることができる。請求の範囲に盛り込まれた符号は、参考のためであり、請求の範囲を限定解釈する目的で参照されるべきものではない。締糸が、緯糸組ではなく１本の緯糸を跨ぐ実施形態も想定され、また請求の範囲内に含まれる。
【符号の説明】
【００３７】
１０          緯糸
１１          緯糸主部の第１組
１２          緯糸主部の第２組
２０          経糸
３０          締糸
３０ｋ        露出部
１００        ファスナーテープ
１０１        第１テープ面
１０２        第２テープ面
２００        コイルエレメント
２１０        単位構造
２１１        第１脚部
２１２        第２脚部
２１３        噛合頭部
２１４        反転部
３００        ファスナーストリンガー
６００        スライドファスナー
【図１】
2017119104.tif 000003
【図２】
2017119104.tif 000004
【図３】
2017119104.tif 000005
【図４】
2017119104.tif 000006
【図５】
2017119104.tif 000007
【図６】
2017119104.tif 000008
【図７】
2017119104.tif 000009
【国際調査報告】
2017119104.tif 000010
2017119104.tif 000011
2017119104.tif 000012
2017119104.tif 000013